(57)【要約】【課題】運搬用パレット上に段積み状に積載した例えば角形一斗缶による運搬物をベルト本体で巻回するに際し、ベルト本体全体に均等に引っ張り力が更に加わるようにする。【解決手段】運搬用パレットＰ上に段積み状に積載した運搬物Ｃ周囲を巻回して当該運搬物Ｃの荷崩れを防止する当該ベルト本体１に、運搬物Ｃに対する巻回力を更に引き締め可能とする引き締め手段Ｑを設ける。該引き締め手段Ｑは、ベルト本体１に対する中央縫着部分１１ａの少なくとも一方の端部を折り返し可能な自由端部１１ｂとし、表面には長手方向に沿って面ファスナー１３を布設して成る引き締めバンド１１と、引き締めバンド１１の自由端部１１ｂに対向してベルト本体１に連結し、自由端部１１ｂを挿通し折り返してから引き締めバンド１１自体の面ファスナー１３本体部に接合可能とした挿通環１２とから成る。【選択図】図２
0003129985.tif 000002
【実用新案登録請求の範囲】
【請求項１】
運搬用パレット上に段積み状に運搬物を積載し、ベルト本体が運搬用パレット上の運搬物周囲を巻回したものとなって当該運搬物の荷崩れを防止する運搬物用荷崩れ防止装置であって、ベルト本体には、運搬物に対する巻回力を引き締め可能とした引き締め手段を備えたことを特徴とする引き締め式荷崩れ防止装置。
【請求項２】
引き締め手段は、ベルト本体に対する中央縫着部分の少なくとも一方の端部を折り返し可能な自由端部とし、表面には長手方向に沿って面ファスナーを布設して成る引き締めバンドと、引き締めバンドの自由端部に対向してベルト本体に連結され、自由端部を挿通し折り返してから引き締めバンド自体の面ファスナー本体部に接合可能とさせる挿通環とから成る請求項１記載の引き締め式荷崩れ防止装置。
【請求項３】
自由端部は引き締めバンドの両側に形成し、挿通環は左右一対で配してある請求項２記載の引き締め式荷崩れ防止装置。
【請求項４】
引き締め手段は、挿通環の先端から該挿通環に対向する引き締めバンドの中央縫着部分端部までの長さを引き締め可能な長さとして成る請求項２記載の引き締め式荷崩れ防止装置。
【請求項５】
引き締め手段は、ベルト本体の上下両側位置に設けられているか、あるいはベルト本体の上下両側位置に加えて中央部に１本もしくは複数本が並設されている請求項１乃至３のいずれか記載の引き締め式荷崩れ防止装置。
【請求項６】
運搬用パレット上に段積み状に運搬物を積載し、ベルト本体が運搬用パレット上の運搬物周囲を巻回したものとなって当該運搬物の荷崩れを防止する運搬物用荷崩れ防止装置であって、ベルト本体には、運搬物に対する巻回力を引き締め可能とする引き締め手段を備え、該引き締め手段は、ベルト本体に対する中央縫着部分の少なくとも一方の端部を折り返し可能な自由端部とし、表面には長手方向に沿って面ファスナーを布設して成る引き締めバンドと、引き締めバンドの自由端部に対向してベルト本体に連結され、自由端部を挿通し折り返してから引き締めバンド自体の面ファスナー本体部に接合可能とする挿通環とから成ると共に、挿通環の先端から該挿通環に対向する引き締めバンドの中央縫着部分端部までの長さを引き締め可能な幅員としたことを特徴とする引き締め式荷崩れ防止装置。
【考案の詳細な説明】
【技術分野】
【０００１】
本考案は、例えば油缶等の角形一斗缶等の重量性ある運搬物を、フォーク差込孔を備えた平板状の運搬用パレット上に段積み状に積載するとき、当該運搬物を強く引き締めて結束し、荷崩れを防止するようにした引き締め式荷崩れ防止装置に関する。
【背景技術】
【０００２】
従来における荷崩れ防止装置は、運搬用パレット上に段積み状に積載された運搬物をベルト本体で巻回し、当該ベルト本体の一端部に帯状に突設配置した上下の面ファスナー帯をベルト本体の他端部に付設してある挿通環に挿通して、ベルト本体が落下しないように手でしっかりと引き締めながら折り返した後、面ファスナー帯の端部を面ファスナー帯本体部に固定するものであった。
【特許文献１】特許第３２１１１５１号公報
【考案の開示】
【考案が解決しようとする課題】
【０００３】
しかしながら、従来においては、面ファスナー帯を挿通環に挿通して引き締めて両端部同士を連結する箇所ではベルト本体に張りが生じるものの、連結箇所の反対側では、特に運搬物が油缶等の角形一斗缶によるものであっては角部の引っ掛かりによって引き締め力が弱まることがある。そのため、ベルト本体全体に均等に引っ張り力を加えるようにすることは困難であり、運搬物周囲が長めになっていると、その一方端からの牽引巻回力では十分な引き締め固定ができないこともあった。しかも、このような角形一斗缶はその収容物が重量的には嵩張るため、積載した後の僅かな位置ズレであっても、それに起因して全体的な荷崩れを生じやすく、危険なものであった。
【０００４】
そこで、本考案は叙上のような従来存した諸事情に鑑み創案されたもので、運搬用パレット上に段積み状に積載された例えば油缶等の角形一斗缶等の重量性ある運搬物をベルト本体で巻回するに際し、ベルト本体全体に均等に引っ張り力を加え、更に強く引き締め固定できる引き締め式荷崩れ防止装置を提供することを目的とする。
【課題を解決するための手段】
【０００５】
上述した課題を解決するため、本考案にあっては、運搬用パレットＰ上に段積み状に運搬物Ｃを積載し、ベルト本体１が運搬用パレットＰ上の運搬物Ｃ周囲を巻回したものとなって当該運搬物Ｃの荷崩れを防止する運搬物用荷崩れ防止装置であって、ベルト本体１には、運搬物Ｃに対する巻回力を引き締め可能とした引き締め手段Ｑを備えたことを特徴とする。
引き締め手段Ｑは、ベルト本体１に対する中央縫着部分１１ａの少なくとも一方の端部を折り返し可能な自由端部１１ｂとし、表面には長手方向に沿って面ファスナー１３を布設して成る引き締めバンド１１と、引き締めバンド１１の自由端部１１ｂに対向してベルト本体１に連結され、自由端部１１ｂを挿通し折り返してから引き締めバンド１１自体の面ファスナー１３本体部に接合可能とする挿通環１２とから成るものとできる。このとき、自由端部１１ｂは引き締めバンド１１の両側に形成し、挿通環１２は左右一対で配しておくことができる。
また、引き締め手段Ｑは、挿通環１２の先端から該挿通環１２に対向する引き締めバンド１１の中央縫着部分１１ａ端部までの長さＬを引き締め可能な長さとして成るものとできる。
引き締め手段Ｑは、ベルト本体１の上下両側位置に設けられているか、あるいはベルト本体１の上下両側位置に加えて中央部に１本もしくは複数本が並設されているものとできる。
【０００６】
以上のように構成された本考案に係る引き締め式荷崩れ防止装置にあって、引き締め手段Ｑは、引き締めバンド１１の自由端部１１ｂを挿通環１２に内側から挿通し折り返してから、挿通環１２の先端から引き締めバンド１１の中央縫着部分１１ａ端部までの長さＬによる引き締め可能な長さ範囲内で引き締め乍ら、引き締めバンド１１自体の面ファスナー１３本体部に接合固定させて運搬物Ｃの荷崩れを防止させる。
このとき、ベルト本体１の上下両側位置に設けられているか、あるいはベルト本体１の上下両側位置に加えて中央部に１本もしくは複数本が並設されて成る引き締め手段Ｑは、ベルト本体１の幅員が大きくても、運搬物Ｃに対する締め付け効果を強力な状態に維持可能にさせる。
【考案の効果】
【０００７】
本考案によれば、運搬用パレットＰ上に段積み状に積載された例えば油缶等の如き重量的に嵩張る角形一斗缶による運搬物Ｃをベルト本体１で巻回するに際し、ベルト本体１全体に均等に引っ張り力を加えることができ、また、一旦巻回固定後に更に引き締め力を加え、全体を強固に固定でき、外部からの衝撃、振動等によって容易に崩れないものとすることができる。
【０００８】
すなわち、これは本考案が、ベルト本体１には、運搬物Ｃに対する巻回力を引き締め可能とした引き締め手段Ｑを備えたからであり、これにより、ベルト本体１全体に均等に強い引っ張り力を加えることができ、ベルト本体１の巻回力の緩みや撓みによる荷崩れを確実に防止できる。
【０００９】
特に、運搬物Ｃが角形一斗缶等の重量性あるものにあっては角部の引っ掛かりによって引き締め力がベルト本体１周囲全体に均等に行き渡らない分を、本考案に係る引き締め手段Ｑによって当該引き締め力を補強でき、これによってベルト本体１全体に均等に引っ張り力を加えることができる。
【００１０】
引き締め手段Ｑは、ベルト本体１に対する中央縫着部分１１ａの少なくとも一方の端部を折り返し可能な自由端部１１ｂとし、表面には長手方向に沿って面ファスナー１３を布設して成る引き締めバンド１１と、引き締めバンド１１の自由端部１１ｂに対向してベルト本体１に連結され、自由端部１１ｂを挿通し折り返してから引き締めバンド１１自体の面ファスナー１３本体部に接合可能とする挿通環１２とから成るので、格安で且つ簡単な構成によって引き締め手段Ｑを形成できる。
【００１１】
また、自由端部１１ｂは引き締めバンド１１の両側に形成し、挿通環１２は左右一対に配することで、いずれか一方のみ、あるいは両方の自由端部１１ｂの引き締め力の付加の態様を選択できる。
【００１２】
引き締め手段Ｑは、挿通環１２の先端から該挿通環１２に対向する引き締めバンド１１の中央縫着部分１１ａ端部までの長さＬを引き締め可能な幅員として成るので、積載された運搬物Ｃ全体の周囲の引き締め長さに十分に対応できる。
【００１３】
また、引き締め手段Ｑは、ベルト本体１の上下両側位置に設けられているか、あるいはベルト本体１の上下両側位置に加えて中央部に１本もしくは複数本が並設されているので、ベルト本体１の幅員が大きくても、運搬物Ｃに対する締め付け効果を全域にわたってほぼ均等に十分に発揮させることができる。
【００１４】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１５】
以下、図面を参照して本考案を実施するための最良の一形態を説明する。図において示される符号１は、所定幅員を有するベルト本体であり、例えば油缶等の角形一斗缶による各種の運搬物Ｃを積載して運搬するよう、例えば前後方向に貫通するフォーク差込孔ＰＡを左右一対備えた平板状の運搬用パレットＰ上に段積み状に積載された運搬物Ｃを水平方向で巻回装着するに足りる長さと幅員とを備えた帯状に形成されている。
【００１６】
すなわち、このベルト本体１は、図２に示すように、運搬物Ｃをほぼ水平方向で巻回装着する場合には、運搬用パレットＰ上に段積みされた運搬物Ｃの上下方向で、必要があれば複数段に跨がって掛け渡される例えば４５ｃｍ程度の上下方向の幅員と、運搬物Ｃの周囲を水平方向で囲繞するに足りる例えば４５０ｃｍ程度の長さとを備えている。これの形成素材は例えばポリエステル繊維をポール・グラスファイバーと共に織成したものであり、外部からの衝撃、破断力その他に対しては容易には破断されない程度の強靱性を備えている。
【００１７】
また、このベルト本体１には、その一端部における上下位置の長手方向側縁部に沿ってベルト連結用面ファスナー２ａ，２ｂが縫着等によって付設され、該ベルト連結用面ファスナー２ａ，２ｂに対向して、ベルト本体１の他端部には角環と称される縦長のベルト連結用挿通環３が縫着等によって連結されている。このベルト連結用面ファスナー２ａ，２ｂは、例えば長さ約８５ｃｍ程度の雌側の面ファスナーと、例えば長さ約１５ｃｍ程度の雄側の面ファスナーとが縫着等によって連設布置されて成る。また、ベルト本体１の一端部中央には、ベルト本体１を手指等で引っ張るための縦長孔状の把持部１ａが設けられている。
【００１８】
ベルト本体１の使用に際し、図１（ａ）に示すように、運搬用パレットＰ上に段積み状に積載されている運搬物Ｃを水平方向に沿って巻回装着してから、ベルト本体１の一端部をベルト連結用挿通環３に挿通して折り返し状に反転させる。そして、ベルト本体１の把持部１ａを手指等でもって牽引することで運搬物Ｃをベルト本体１で巻き締める状態にしてから、ベルト連結用面ファスナー２ａ，２ｂそれぞれに連設配置してある雌雄の面ファスナー同士を接合することによって固定して運搬物Ｃの荷崩れを防止する（図１（ｂ）参照）。
【００１９】
また、図２に示すように、ベルト本体１の上下両側位置には、運搬物Ｃに対する巻回力を引き締めるための引き締め手段Ｑが設けられており、ベルト本体１を巻回装着した際に、運搬用パレットＰ上に積載されている運搬物Ｃの例えば隅部角の辺りに引き締め手段Ｑが位置するようにしてある。
【００２０】
すなわち、この引き締め手段Ｑは、図３に示すように、例えば幅員約５０ｍｍ、長さ約６００ｍｍの引き締めバンド１１の長さ約１８０ｍｍの中央部分をベルト本体１に縫着して中央縫着部分１１ａとし、該中央縫着部分１１ａの両側における約２１０ｍｍの部分を折り返し可能な自由端部１１ｂとしてある。そして、引き締めバンド１１の表面には長手方向に沿って雄雌部連設状の面ファスナー１３を布設してある。
【００２１】
また、ベルト本体１には引き締めバンド１１の左右自由端部１１ｂに対向して左右一対の挿通環１２が連結帯１２ａによって連結されており、各自由端部１１ｂそれぞれを挿通環１２に内側から挿通し、折り返して引き締め乍ら引き締めバンド１１自体の面ファスナー１３の雄雌同士を接合することで固定できるようにしてある。
【００２２】
このとき、引き締め手段Ｑは、図４に示すように、挿通環１２の先端から該挿通環１２に対向する引き締めバンド１１の中央縫着部分１１ａ端部までの長さＬを約１００ｍｍとしてあり、この部分が引き締めバンド１１による引き締めが可能な長さ範囲となっている。また、この長さＬは左右の合計で約２００ｍｍの長さがあるため、全体的に約２０ｃｍ程度は引き締め可能な長さとなっている。もとより、この長さＬは、運搬物Ｃの種類に対応して任意に設定可能であり、ベルト本体１全体の長さに対応して異なるものである。
【００２３】
尚、この引き締め手段Ｑは、ベルト本体１の上下両側位置に加えて中央部に１本もしくは複数本が並設されていても良い。また、この引き締め手段Ｑは、運搬用パレットＰ上に積載されている運搬物Ｃの真中の辺りに位置するように設けられていても良い。
【００２４】
尚、以上の説明にあっては、自由端部１１ｂは引き締めバンド１１の両側に形成してあるも、これをいずれ一方のみとし、また、これに対応して挿通環１２を１個とすることも可能である。
【００２５】
次に、以上のように構成された最良の形態についての使用の一例について説明する。ベルト本体１の使用に際し、図１（ａ）に示すように、運搬用パレットＰ上に段積み状に積載されている運搬物Ｃを水平方向で巻回装着してから、ベルト本体１の一端部をベルト連結用挿通環３に挿通して折り返し状に反転させる。
【００２６】
そして、図１（ｂ）に示すように、ベルト本体１の把持部１ａを手指等でもって牽引することで運搬物Ｃをベルト本体１で巻き締める状態にしてから、ベルト連結用面ファスナー２ａ，２ｂそれぞれに連設配置してある雌雄の面ファスナー同士を接合固定する。
【００２７】
このときベルト本体１の上下両側に位置する引き締め手段Ｑにおける引き締めバンド１１は、図３に示すように、運搬物Ｃのほぼ隅部角の辺りに位置した状態となっている。そこで、ベルト本体１を引き締め手段Ｑによって更に引き締めるのであり、引き締めバンド１１の自由端部１１ｂを挿通環１２に内側から挿通して折り返し、互いに引き締め乍ら引き締めバンド１１自体の面ファスナー１３の雄雌同士を接合固定する。こうして運搬物Ｃを巻回しているベルト本体１全体に均等に引っ張り力が加わるようにする。
【００２８】
尚、運搬物Ｃの周囲に巻回装着するベルト本体１は、これの端部相互を連結するには、ベルト連結面用ファスナー２ａ，２ｂ、ベルト連結用挿通環３等から成るものとしてあるも、これに限定されないことは勿論である。例えば、端部相互を重ね合わせて雌雄部の面ファスナー相互を接合するものとしたり、更にはいずれか一方の端部に形成したスリットから他方の端部に設けた牽引ベルトを外出させて端部同士を雌雄部の面ファスナー相互で接合するものとしたり等であり、いずれも任意に選定できる。
【図面の簡単な説明】
【００２９】
【図１】本考案を実施するための最良の形態における使用手順を示すもので、（ａ）はベルト本体の端部同士を連結する直前の状態を示す斜視図、（ｂ）はベルト本体の端部同士を連結した状態を示す斜視図である。
【図２】同じく使用状態において、引き締め手段全体が現れるよう他の方向から見た斜視図である。
【図３】同じく引き締め手段の使用手順を説明する要部斜視図である。
【図４】同じく引き締め前における引き締め手段を示す要部斜視図である。
【符号の説明】
【００３０】
Ｐ…運搬用パレット                      ＰＡ…フォーク差込孔
Ｑ…引き締め手段                        Ｃ…運搬物
Ｌ…挿通環の先端から引き締めバンドの中央縫着部分端部までの長さ
１…ベルト本体                          １ａ…把持部
２ａ，２ｂ…ベルト連結用面ファスナー    ３…ベルト連結用挿通環
１１…引き締めバンド                    １１ａ…中央縫着部分
１１ｂ…自由端部                        １２…挿通環
１２ａ…連結帯                          １３…面ファスナー
【図１】
0003129985.tif 000003
【図２】
0003129985.tif 000004
【図３】
0003129985.tif 000005
【図４】
0003129985.tif 000006